(57)【要約】【課題】自動運転支援装置において、ドライバの不安を招くことなく、かつ交差する道路における他車両の通行を阻害しないようにする。【解決手段】カメラ制御ＥＣＵ１００（自動運転支援装置の一例）は、交差する道路Ｒ２における通行の状況を、車載カメラ２１０の撮影した画像で取得する画像取得部１０と、取得された画像を自車３００のドライバに提示するモニタ５２と、モニタ５２に提示された画像に対して、ドライバの確認の意思表示を受け付ける確認ボタン５３と、交差点Ｔへの進入の際に、自車３００を、直接確認位置Ｐ３よりも手前の位置である間接確認位置Ｐ２で停止させ、ドライバの確認を受け付けたときは、交差点Ｔを通過させるように、車両制御ＥＣＵ２６０に指令を出力する制御部５４と、を備える。【選択図】図１
2019040358.tif 000002
【特許請求の範囲】
【請求項１】
交差点で交差する道路における通行の状況を取得する通行状況取得部と、
前記通行状況取得部により取得された前記通行の状況を、自車のドライバに提示する通行状況提示部と、
前記通行状況提示部により提示された前記通行の状況に対して、前記ドライバの確認の意思表示を受け付ける確認受付部と、
前記交差点への進入の際に、前記自車を、前記ドライバが前記交差する道路における通行の状況を直接目視で視認することができる前記交差点の中での位置である直接確認位置よりも手前の位置である間接確認位置で停止させ、前記間接確認位置で停止させた状態で前記確認受付部が前記ドライバの確認を受け付けたときは、前記自車を前進させて、前記直接確認位置で前記自車を停止させることなく前記交差点を通過させるように、前記自車の走行を制御する車両制御装置に指令を出力する制御部と、を備えた自動運転支援装置。
【請求項２】
前記交差点の情報に基づいて前記交差点の危険度の高低を判定する危険度判定部を備え、
前記制御部は、前記交差点への進入に先立って前記危険度判定部により判定された前記危険度が高いときは、前記交差点への進入の際に、前記自車を前記間接確認位置で停止させ、前記間接確認位置で停止させた状態で前記確認受付部が前記ドライバの確認を受け付けたときは、前記自車を前進させて、前記直接確認位置で前記自車を停止させることなく前記交差点を通過させるように、前記自車の走行を制御する車両制御部に指令を出力し、前記危険度判定部により判定された前記危険度が低いときは、前記交差点への進入の際に、前記自車を前記直接確認位置まで進めて停止させ、前記直接確認位置で停止させた状態で前記確認受付部が前記ドライバの確認を受け付けたときは、前記自車を前進させて前記交差点を通過させるように、前記自車の走行を制御する車両制御部に指令を出力する請求項１に記載の自動運転支援装置。
【請求項３】
前記危険度判定部は、前記交差点の情報として取得した、前記交差する道路の幅、前記交差する道路の通行量、前記交差する道路の制限速度、前記交差する道路が一方通行か双方向通行かの別、前記交差点における過去の交通事故の多少の別及び前記交差点の形状の少なくとも一つに基づいて、前記交差点の危険度の高低を判定する請求項２に記載の自動運転支援装置。
【請求項４】
前記通行状況取得部は、前記自車の前端部に設けられて、前記交差する道路の範囲を撮影する車載カメラで撮影された通行の状況を取得するものである請求項１から３のうちいずれか１項に記載の自動運転支援装置。
【請求項５】
前記確認受付部は、前記ドライバの確認として前記ドライバの特定の視線の状態を検出するもの、前記ドライバの指による接触を検出するもの、又は前記ドライバの確認の発声を検出するものである請求項１から４のうちいずれか１項に記載の自動運転支援装置。
【発明の詳細な説明】
【技術分野】
【０００１】
本発明は、自動運転支援装置に関する。
【背景技術】
【０００２】
近年、車両（以下、自車という。）に搭載されたカメラで撮影された映像を利用して、自車の運転状況や自車の周囲の状況を認識し、それらの情報に基づいて、自車の駆動、制動及び操舵などの動作を制御することにより、運転の自動化を支援するシステム（自動運転支援システム）が開発されている。
【０００３】
ところで、運転状況の一つとして、自車が信号の無い交差点内に進入する状況がある。この状況で、ドライバは、通常、以下のように自車を運転する。
【０００４】
すなわち、ドライバは自車を、
（１）交差点内への進入前に、停止線や交差点の手前（進入前停止位置）で一旦停止させる。
（２）その後、交差点で交差する道路の状況を直接視認可能な位置（直接確認位置）まで交差点内に進入するために、徐行（通常の走行速度よりも遅い速度）で進入前停止位置から前進する。このとき、交差点内に微速で進入しつつ、交差する道路を走る他車両のドライバに自車を視認させて注意を促す。なお、直接確認位置に到達する前は、ドライバは交差する道路の状況を直接目視で確認することはできない。
（３）（２）の徐行前進により、直接確認位置に到達すると、ドライバは自車を停止させる。
（４）ドライバは、目視した交差する道路の状況が安全であるか否かの安全確認を行い、ドライバが安全と判断するまでは停止し、ドライバが安全であると判断した場合は通常の走行速度で前進して交差点を通過する
【０００５】
このように交差点内へ進入する運転を自動運転支援システムで行う場合、上記（１）の進入前停止位置での停止の後は、上記（２）の徐行前進中に自動運転支援システムがカメラの映像等に基づいて自車の安全を確認する。そして、（２）で自動運転支援システムが安全を確認した場合、自動運転支援システムは、（３）の停止や（４）のドライバによる安全確認を省略して、交差点を通過するように自車の運転を制御する。
【０００６】
しかし、このように自動運転支援システムが自車を停止させず、ドライバの安全確認も求めることなく交差点を通過する動作は、交差点内に徐行で進入しながら目視で安全確認をすることに慣れているドライバに不安感を与える場合がある。そして、個人差はあるにしても、その不安感が一定のレベルを超えると、ドライバは交差点内への進入を停止させるためにドライバの意思で制動操作を行い、これにより自動運転支援システムによる自動運転モードが解除され、自動車の円滑な流れが阻害されるおそれがある。
【０００７】
そこで、自動運転支援システムがカメラ映像等に基づいて自車の安全を確認して自車を交差点の中に進入させたときも、上記（３）のドライバの目視による安全確認の要求を追加して、要求に応じたドライバの目視による安全確認の結果に応じて、交差点の通過を行わせる自動運転支援システムが提案されている（例えば、特許文献１参照）
【先行技術文献】
【特許文献】
【０００８】
【特許文献１】特開２０１６−６０３３６号公報
【発明の概要】
【発明が解決しようとする課題】
【０００９】
上述した特許文献の自動運転支援システムは、交差点内の直接確認位置まで自車を前進して停止させるため、交差点内に進入して停止した自車が、交差する道路を走行する他車両の通行の邪魔になる場合は、交差する道路の円滑な流れを乱す事態を引き起こす。具体的には、交差する道路の幅が狭い場合など、自車を避けて走行する余地が無いときは、交差点内で停止した自車によって、交差する道路を走行している他車両が停止せざるを得ない状況になり、渋滞を引き起こす場合もある。
【００１０】
本発明は上記事情に鑑みなされたものであって、ドライバの不安を招くことなく、かつ交差する道路における他車両の通行を阻害しない自動運転支援装置を提供することを目的とする。
【課題を解決するための手段】
【００１１】
本発明は、交差点で交差する道路における通行の状況を取得する通行状況取得部と、前記通行状況取得部により取得された前記通行の状況を、自車のドライバに提示する通行状況提示部と、前記通行状況提示部により提示された前記通行の状況に対して、前記ドライバの確認の意思表示を受け付ける確認受付部と、前記交差点への進入の際に、前記自車を、前記ドライバが前記交差する道路における通行の状況を直接目視で視認することができる前記交差点の中での位置である直接確認位置よりも手前の位置である間接確認位置で停止させ、前記間接確認位置で停止させた状態で前記確認受付部が前記ドライバの確認を受け付けたときは、前記自車を前進させて、前記直接確認位置で前記自車を停止させることなく前記交差点を通過させるように、前記自車の走行を制御する車両制御装置に指令を出力する制御部と、を備えた自動運転支援装置である。
【発明の効果】
【００１２】
本発明に係る自動運転支援装置によれば、ドライバの不安を招くことなく、かつ交差する道路における他車両の通行を阻害しない。
【図面の簡単な説明】
【００１３】
【図１】本発明の自動運転支援装置の一例であるカメラ制御ＥＣＵを含む自動運転支援システムを示すブロック図である。
【図２】自車が、交差する道路の幅が狭い交差点の手前の進入前停止位置Ｐ１で停止している状態を示す模式図である。
【図３】自車が、交差する道路の幅が広い交差点の手前の進入前停止位置Ｐ１で停止している状態を示す模式図である。
【図４】交差する道路の幅が狭い場合に、自車が直接確認位置Ｐ３まで進入した状態を示す模式図である。
【図５】交差する道路の幅が広い場合に、自車が直接確認位置Ｐ３まで進入した状態を示す模式図である。
【図６】交差する道路の幅が狭い場合に、自車が間接確認位置Ｐ２まで進入した状態を示す模式図である。
【図７】図１に示したカメラ制御ＥＣＵによる処理の流れを示すフローチャートである。
【図８】図１に示したカメラ制御ＥＣＵの変形例による処理の流れを示すフローチャートである。
【図９】本発明に係る自動運転支援装置の基本的な実施形態の構成を示すブロック図である。
【発明を実施するための形態】
【００１４】
以下、本発明に係る自動運転支援装置の具体的な実施の形態について、図面を参照して説明する。
【００１５】
＜構成＞
図１は、本発明の自動運転支援装置の一例であるカメラ制御ＥＣＵ１００を含む自動運転支援システム２００を示すブロック図である。図１に示した自動運転支援システム２００は、車両（以下、自車３００という）に搭載された車載カメラ２１０、ナビゲーション装置２２０、車輪速センサ２３０、操舵角センサ２４０、スピーカ２５０、車両制御ＥＣＵ２６０及びカメラ制御ＥＣＵ１００を備えている。
【００１６】
車載カメラ２１０は、自車３００の前端部に設けられている。車載カメラ２１０は、自車３００の前方及び自車３００の前端部から左右側方の画像を撮影する。車載カメラ２１０は前方及び左右側方を広く撮影できるように、画角が１８０度以上の広角のレンズを備えている。なお、車載カメラ２１０は、自車３００の前端部以外の、例えば後端部や左右の各側部にも設けられていてもよい。
【００１７】
ナビゲーション装置２２０は、ＧＰＳ等を用いて自車３００の現在位置を地図上に表示するものであり、目的地が設定されている場合は、その目的地まで自車３００を誘導するための誘導経路を案内する。車輪速センサ２３０は、自車３００の車輪に設けられて車輪の回転速度を検出する。車輪速センサ２３０が検出した回転速度は自車３００の走行速度に対応しているため、車輪速センサ２３０で検出された回転速度に基づいて自車３００の速度を算出するのに用いられる。操舵角センサ２４０は、自車３００のステアリングホイールへの回転操作による回転角度に対応した自車３００の車輪の舵角を検出する。
【００１８】
スピーカ２５０は、ナビゲーション装置２２０での案内内容やその他の自車３００における各種案内内容を音声で出力する。車両制御ＥＣＵ２６０（車両制御部）は、自車３００の駆動力の調整、制動力の調整、操舵角の調整等によって自車３００の走行を制御する。
【００１９】
カメラ制御ＥＣＵ１００は、画像取得部１０と、入出力インターフェース（Ｉ／Ｆ）２０と、交差点種類判定部３０と、進入可否判定部４０と、ドライバ確認判定部５０と、記憶メモリ６０と、を備えている。
【００２０】
画像取得部１０（通行状況取得部の一例）は、車載カメラ２１０で撮影された画像を取得する。入出力インターフェース２０は、ナビゲーション装置２２０、車輪速センサ２３０、操舵角センサ２４０により得られた情報の入力を受け付ける。交差点種類判定部３０は、入出力インターフェース２０を介して、ナビゲーション装置２２０から入力された、ナビゲーション装置２２０が有する地図情報に含まれた交差点Ｔの情報に基づいて、その交差点Ｔの種類を判定する。
【００２１】
交差点Ｔの情報としては、例えば、自車３００が走行する道路Ｒ１に交差する道路Ｒ２の幅Ｄである。なお、ナビゲーション装置２２０の地図情報から交差点種類判定部３０に入力される交差点Ｔの情報としては、交差する道路Ｒ２の幅Ｄの他に、交差する道路Ｒ２の通行量、交差する道路Ｒ２の制限速度、交差する道路Ｒ２が一方通行か双方向通行（対面通行）の別、交差点Ｔにおける過去の交通事故の多少の別及び交差点Ｔの形状（十字路、Ｔ字路の別など）がある。
【００２２】
進入可否判定部４０は、図２，３に示すように、交差点Ｔの手前に設けられた一時停止線（交差点Ｔの外側の範囲）Ｌに前端部を合わせた位置（進入前停止位置）Ｐ１で停止した自車３００が交差点Ｔ内に進入可能か否かを判定する。具体的には、進入前停止位置Ｐ１から交差点Ｔまでの間に歩行者や自転車などの障害物が無いときは進入可能と判定し、障害物があるときは進入不可と判定する。このとき、障害物の有無は、画像取得部１０を通じて車載カメラ２１０で撮影された画像に基づいて特定される。
【００２３】
また、進入可否判定部４０には、入出力インターフェース２０を介して、地図情報（ナビゲーション装置２２０から入力）や、自車３００の速度（車輪速センサ２３０からの入力に応じて算出）及び自車３００の操舵角（操舵角センサ２４０からの入力に応じて算出）が入力されており、これらの情報に基づいて進入可否判定部４０は、自車３００の進行方向を特定している。
【００２４】
ドライバ確認判定部５０は、交差点種類判定部３０から入力された交差点Ｔの種類（例えば、交差する道路Ｒ２の幅Ｄ）に応じて、その交差点Ｔの危険度の高低を判定する危険度判定部５１と、画像取得部１０及び進入可否判定部４０を通じて入力された車載カメラ２１０の画像を表示するモニタ５２（通行状況提示部の一例）と、このモニタ５２の表示面の特定の領域に設けられたタッチセンサ式の確認ボタン５３（確認受付部の一例）と、危険度判定部５１により判定された危険度の高低の別及び確認ボタン５３へのタッチの有無に応じた指令を、車両制御ＥＣＵ２６０に出力する制御部５４と、を備える。
【００２５】
危険度判定部５１は、図２に示すように、交差する道路Ｒ２の幅Ｄが狭いときは危険度が高いと判定し、図３に示すように、交差する道路Ｒ２の幅Ｄが広いときは危険度が低いと判定する。具体的には、交差する道路Ｒ２の幅Ｄが、図４に示すように、自車３００が交差点Ｔ内に進入して、自車３００のドライバが、その交差した道路Ｒ２の通行の状況を目視で直接確認することができる交差点Ｔの中での位置（直接確認位置）Ｐ３に自車３００の前端部を合わせて停止させたときに、交差する道路Ｒ２を走行する他車４００が、自車３００を避けて歩道等にはみだすことなく通行することができない場合は、道路Ｒ２の幅Ｄは狭いため、交差点Ｔの危険度は高いと判定する。
【００２６】
一方、危険度判定部５１は、交差する道路Ｒ２の幅Ｄが、図５に示すように、自車３００が交差点Ｔ内に進入して、直接確認位置Ｐ３に自車３００の前端部を合わせて停止させたときに、交差する道路Ｒ２を走行する他車４００が、自車３００を避けて歩道等にはみだすことなく通行することができる場合は、道路Ｒ２の幅Ｄは広いため、交差点Ｔの危険度は低いと判定する。
【００２７】
モニタ５２は、車載カメラ２１０の画像を表示することで、交差する道路Ｒ２における通行の状況をドライバに提示する。モニタ５２は、ナビゲーション装置２２０のモニタを用いてもよい。確認ボタン５３は、ドライバの確認の意思表示を指等でのタッチにより受け付ける。
【００２８】
制御部５４は、自車３００が進入前停止位置Ｐ１で停止しているとき、進入可否判定部４０により進入可能の判定がされたときは、自車３００を徐行で交差点Ｔに向かって前進させるように、車両制御ＥＣＵ２６０に対して指令を出力する。車両制御ＥＣＵ２６０は、その指令に対応して、進入前停止位置Ｐ１から自車３００を交差点Ｔに向かって徐行で前進させる。
【００２９】
一方、制御部５４は、自車３００が進入前停止位置Ｐ１で停止しているとき、進入可否判定部４０により進入不可の判定がされたときは、自車３００を進入前停止位置Ｐ１に停止した状態を維持して、進入可否判定部４０により進入可能の判定がされるのを待つように、車両制御ＥＣＵ２６０に対して指令を出力する。車両制御ＥＣＵ２６０は、その指令に対応して、進入前停止位置Ｐ１に自車３００を停止させた状態を維持する。
【００３０】
進入前停止位置Ｐ１で停止する前、停止しているとき、又は進入前停止位置Ｐ１から前進し始めた後の交差点Ｔの進入前のいずれかのタイミングで、制御部５４は、危険度判定部５１によるその交差点Ｔの危険度の高低の判定結果を得る。そして、制御部５４は、自車３００が進入前停止位置Ｐ１から交差点Ｔに向けて徐行で前進し始めた後に、以下の制御を行う
【００３１】
すなわち、制御部５４は、危険度判定部５１による判定結果が危険度の高いものであるときは、図６に示すように、自車３００のドライバが交差する道路Ｒ２における他車の通行の状況を直接目視で視認することができる交差点Ｔ内での位置である直接確認位置Ｐ３よりも手前の位置であって、自車３００の前端部が交差点Ｔ内に入る直前又は前端部が交差点内に僅かに進入した状態の位置（間接確認位置）Ｐ２で自車３００を停止するよう、車両制御ＥＣＵ２６０に指令を出力する。
【００３２】
この間接確認位置Ｐ２は、自車３００の前端部の車載カメラ２１０が、交差する道路Ｒ２における他車の通行の状況の画像を撮影できる位置である。したがって、間接確認位置Ｐ２では、自車３００は、交差点Ｔ内に入っていない状態か、又は交差点Ｔ内に入っていてもその入っているのが自車３００の前端部の僅かな部分だけという状態である。
【００３３】
車両制御ＥＣＵ２６０は、その指令に対応して自車３００を間接確認位置Ｐ２まで徐行で前進させ、間接確認位置Ｐ２に自車３００を停止させる。さらに制御部５４は、前端部の車載カメラ２１０が撮影した交差する道路Ｒ２の通行の状況をモニタ５２に表示させて、ドライバに間接確認位置Ｐ２において、交差する道路Ｒ２の通行の状況を提示する。
【００３４】
ドライバがモニタ５２に表示された通行の状況を見て、交差する道路Ｒ２における他車の通行が途切れるなどして交差点Ｔを通過することの安全を確認し、ドライバにより確認ボタン５３がタッチされて安全確認が受け付けられたときは、制御部５４は、自車３００を間接確認位置Ｐ２から前進させて、直接確認位置Ｐ３で停止させることなく交差点Ｔを通過するように車両制御ＥＣＵ２６０に対して指令を出力する。車両制御ＥＣＵ２６０は、その指令に対応して自車３００を間接確認位置Ｐ２から前進させて直接確認位置Ｐ３で停止させることなく交差点Ｔを通過させるように自車３００の運転を制御する。
【００３５】
一方、制御部５４は、危険度判定部５１による判定結果が危険度の低いものであるときは、図５に示すように、間接確認位置Ｐ２で停止することなく直接確認位置Ｐ３で自車３００を停止するよう、車両制御ＥＣＵ２６０に指令を出力する。車両制御ＥＣＵ２６０は、その指令に対応して自車３００を間接確認位置Ｐ２で停止させることなく直接確認位置Ｐ３まで徐行で前進させた後に、直接確認位置Ｐ３で自車３００を停止させる。
【００３６】
ドライバが目視で直接、交差する道路Ｒ２の通行の状況を見て、交差する道路Ｒ２における他車の通行が途切れるなどして交差点Ｔを通過することの安全を確認し、ドライバにより確認ボタン５３がタッチされて安全確認が受け付けられたときは、制御部５４は、自車３００を直接確認位置Ｐ３から前進させて交差点Ｔを通過するように車両制御ＥＣＵ２６０に対して指令を出力する。車両制御ＥＣＵ２６０は、その指令に対応して自車３００を直接確認位置Ｐ３から前進させて交差点を通過させるように自車３００の運転を制御する。
【００３７】
記憶メモリ６０は、自車３００が過去に通過した交差点Ｔにおいて、車載カメラ２１０で撮影された画像や、ナビゲーション装置２２０で得られた交差点Ｔの情報等を記憶する。危険度判定部５１は、これから通過しようとする交差点Ｔが、過去に通過した交差点であるときは、ナビゲーション装置２２０で得られた交差点Ｔの情報を用いずに記憶メモリ６０に記憶された交差点Ｔの情報を用いて、交差点Ｔの危険度の高低を判定してもよい。
【００３８】
＜作用＞
以上のように構成されたカメラ制御ＥＣＵ１００の具体的な動作例について、図７のフローチャートにしたがって以下に説明する。
【００３９】
まず、処理がスタート（［ＳＴＡＲＴ］）すると、自動運転支援システム２００による自動運転の制御が行なわれていることを前提として（ステップ１（Ｓ１）においてＹＥＳ）、自車３００の現在位置がナビゲーション装置２２０によって取得される（Ｓ２）。前提となる自動運転の制御が行なわれていない場合は、処理は終了する（［ＥＮＤ］）
【００４０】
取得された現在位置に基づいて、ナビゲーション装置２２０は、次の交差点Ｔまでの距離が近づいている（具体的には、例えば、残り距離３０［ｍ］に到達した）か否かを検出する（Ｓ３）。到達していないとき（Ｓ３においてＮＯ）は、到達するまで待つ。到達したとき（Ｓ３においてＹＥＳ）は、カメラ制御ＥＣＵ１００は、ナビゲーション装置２２０から、その交差点Ｔの情報（交差する道路Ｒ２の幅Ｄ）を取得する（Ｓ４）。取得した交差点Ｔの情報に基づいて、交差点種類判定部３０は、その交差点Ｔの種類を判定する。
【００４１】
交差点Ｔの情報の取得に並行して、ナビゲーション装置２２０は、自車３００の前端部が交差点Ｔの手前に設けられた一時停止線Ｌに到達したか否かを検出する（Ｓ５）。自車３００の前端部が一時停止線Ｌに到達したとき（Ｓ５においてＹＥＳ）は、車両制御ＥＣＵ２６０が、自車３００の前端部を進入前停止位置Ｐ１に合わせて自車３００を停止させる（Ｓ６／図２，３参照）。自車３００の前端部が一時停止線Ｌに到達していないとき（Ｓ５においてＮＯ）は、自車３００の前端部が一時停止線Ｌに到達するまで、車両制御ＥＣＵ２６０が自車３００の前進走行を継続させる。
【００４２】
自車３００が進入前停止位置Ｐ１に停止した状態で、進入可否判定部４０は、自車３００が交差点Ｔ内に進入可能か否かを、画像取得部１０を通じて取得した車載カメラ２１０で撮影された画像に基づいて、進入前停止位置Ｐ１から交差点Ｔまでの間に歩行者や自転車などの障害物の有無に応じて判定する（Ｓ７）。
【００４３】
進入可否判定部４０が進入可能と判定したときは、その判定結果がドライバ確認判定部５０に入力されて、制御部５４がその判定結果に対応した指令を車両制御ＥＣＵ２６０に出力する。すなわち、制御部５４は、進入可否判定部４０により進入可能の判定がされたとき（Ｓ７においてＹＥＳ）は、自車３００を徐行で交差点Ｔに向かって前進させるように、車両制御ＥＣＵ２６０に対して指令を出力し、車両制御ＥＣＵ２６０は、その指令に対応して、進入前停止位置Ｐ１から自車３００を交差点Ｔに向かって徐行で前進させる（Ｓ８）。
【００４４】
制御部５４は、進入可否判定部４０により進入不可の判定結果が入力されたとき（Ｓ７においてＮＯ）は、進入可能の判定結果が入力されるまで自車３００を進入前停止位置Ｐ１に停止した状態を維持する指令を車両制御ＥＣＵ２６０に出し、車両制御ＥＣＵ２６０は、その指令に対応して、進入前停止位置Ｐ１に自車３００を停止させた状態を維持する。
【００４５】
進入前停止位置Ｐ１から前進し始めた（Ｓ８）後の交差点Ｔの進入前に、危険度判定部５１が、交差点種類判定部３０から入力された交差点Ｔの情報に基づいて、その交差点Ｔの危険度の高低を判定する（Ｓ９）。
【００４６】
危険度判定部５１による判定結果が、危険度低のとき（Ｓ９においてＹＥＳ）、すなわち、交差する道路Ｒ２の幅Ｄが広いときは、図５に示すように、制御部５４は、間接確認位置Ｐ２で停止することなく直接確認位置Ｐ３で自車３００を停止するよう、車両制御ＥＣＵ２６０に指令を出力する。車両制御ＥＣＵ２６０は、その指令に対応して自車３００を間接確認位置Ｐ２で停止させることなく直接確認位置Ｐ３まで徐行で前進させた後に、直接確認位置Ｐ３で自車３００を停止させる（Ｓ１０）。
【００４７】
直接確認位置Ｐ３で停止した自車３００のドライバは、目視で直接、交差する道路Ｒ２の通行の状況を見て、交差する道路Ｒ２における他車４００の通行が途切れるなどして交差点Ｔを通過することの安全を確認し、ドライバにより確認ボタン５３がタッチされて安全確認が受け付けられるのを待つ（Ｓ１１）。予め設定された時間だけ待ってもドライバによる確認ボタン５３へのタッチが無く、安全確認が受け付けられないとき（Ｓ１１においてＮＯ）は、制御部５４が、スピーカ２５０から安全確認を促す音声の案内を出力させるように制御する（Ｓ１３）。
【００４８】
制御部５４は、ドライバにより確認ボタン５３がタッチされて安全確認が受け付けられたとき（Ｓ１１においてＹＥＳ）は、自車３００を直接確認位置Ｐ３から前進させて交差点Ｔを通過するように車両制御ＥＣＵ２６０に対して指令を出力する。車両制御ＥＣＵ２６０は、その指令に対応して自車３００を直接確認位置Ｐ３から前進させて交差点を通過させるように自車３００の運転を制御し（Ｓ１２）、交差点を通過する際の自動運転支援の処理を終了する。
【００４９】
危険度判定部５１による判定結果が、危険度高のとき（Ｓ９においてＮＯ）、すなわち、交差する道路Ｒ２の幅Ｄが狭いときは、図６に示すように、制御部５４は、直接確認位置Ｐ３よりも手前の位置である間接確認位置Ｐ２で自車３００を停止するよう、車両制御ＥＣＵ２６０に指令を出力する。車両制御ＥＣＵ２６０は、その指令に対応して自車３００を間接確認位置Ｐ２まで徐行で前進させ、間接確認位置Ｐ２に自車３００を停止させる（Ｓ１４）。
【００５０】
制御部５４は、前端部の車載カメラ２１０が撮影した交差する道路Ｒ２の通行の状況をモニタ５２に表示させて、ドライバに、間接確認位置Ｐ２において、交差する道路Ｒ２の通行の状況を提示する。ドライバがモニタ５２に表示された通行の状況を見て、交差する道路Ｒ２における他車の通行が途切れるなどして交差点Ｔを通過することの安全を確認し、ドライバにより確認ボタン５３がタッチされて安全確認が受け付けられるのを待つ（Ｓ１５）。
【００５１】
予め設定された時間だけ待ってもドライバによる確認ボタン５３へのタッチが無く、安全確認が受け付けられないとき（Ｓ１５においてＮＯ）は、制御部５４が、スピーカ２５０から安全確認を促す音声の案内を出力させるように制御する（Ｓ１６）。
【００５２】
ドライバにより確認ボタン５３がタッチされて安全確認が受け付けられたとき（Ｓ１５においてＹＥＳ）は、制御部５４は、自車３００を間接確認位置Ｐ２から前進させて、直接確認位置Ｐ３で停止させることなく交差点Ｔを通過するように車両制御ＥＣＵ２６０に対して指令を出力する。
【００５３】
車両制御ＥＣＵ２６０は、その指令に対応して自車３００を間接確認位置Ｐ２から前進させて直接確認位置Ｐ３で停止させることなく交差点Ｔを通過させるように自車３００の運転を制御し（Ｓ１２）、交差点を通過する際の自動運転支援の処理を終了する。
【００５４】
以上、詳細に説明した自動運転支援装置の一実施形態であるカメラ制御ＥＣＵ１００及びこのカメラ制御ＥＣＵ１００を用いた自動運転支援システムによれば、進入しようとする交差点Ｔの危険度が高いと判定したときは、自車３００を図６に示す間接確認位置Ｐ２で停止させるため、自車３００を図５に示す直接確認位置Ｐ３で停止させた場合に比べて、自車３００が交差点内に突出する長さを短くすることができる。
【００５５】
この結果、カメラ制御ＥＣＵ１００及びこのカメラ制御ＥＣＵ１００を用いた自動運転支援システムは、自車３００が、交差点で交差する道路Ｒ２を走行する他車４００の通行を阻害するのを防止又は抑制することができ、交差する道路Ｒ２の円滑な流れを乱したり、自車３００との接触事故を招いたりするのを有効に防止又は抑制することができる。
【００５６】
しかも、カメラ制御ＥＣＵ１００及びこのカメラ制御ＥＣＵ１００を用いた自動運転支援システムは、交差する道路Ｒ２の通行の状況を、直接目視で、又はモニタ５２に表示された車載カメラ２１０による画像を通じて間接的に、ドライバに確認させることができるため、ドライバの不安を招くこともない。
【００５７】
また、カメラ制御ＥＣＵ１００は、進入しようとする交差点Ｔの危険度の高いときは自車３００を間接確認位置Ｐ２に停止させるため、自車３００が交差点Ｔ内に突出する長さを短くする。一方、カメラ制御ＥＣＵ１００は、交差点Ｔの危険度の低いときは自車３００を直接確認位置Ｐ３に停止させるため、自車３００が交差点Ｔ内に突出する長さを従来と同様にする。したがって、交差点Ｔの危険度の高低に応じて、ドライバによる安全確認の仕方を２通りに変えることができ、ドライバの安心感と交差する道路Ｒ２を走行する他車４００の円滑な通行とを両立することができる。
【００５８】
なお、本発明に係る自動運転支援装置は、進入しようとする交差点の危険度の高低に応じて自車の停止位置を間接確認位置又は直接確認位置に切り替えるものに限定されない。すなわち、本発明に係る自動運転支援装置は、進入しようとする交差点の危険度の高低に拘わらず自車の停止位置を間接確認位置にしてもよい。
【００５９】
本実施形態のカメラ制御ＥＣＵ１００は、自車３００が直接確認位置Ｐ３に停止した後のドライバの安全確認の入力（Ｓ１１，Ｓ１３）と、自車３００が間接確認位置Ｐ２に停止した後のドライバの安全確認の入力（Ｓ１５，Ｓ１６）とを、別の処理手順としたが、これらの処理は１つに統合してもよい。すなわち、ステップ１５（Ｓ１５）の処理をステップ１１（Ｓ１１）の処理とし、ステップ１６（Ｓ１６）の処理をステップ１３（Ｓ１３）の処理としてもよい。
【００６０】
また、本実施形態のカメラ制御ＥＣＵ１００は、自車３００が直接確認位置Ｐ３に停止した後のドライバの安全確認の入力（Ｓ１１，Ｓ１３）と、自車３００が間接確認位置Ｐ２に停止した後のドライバの安全確認の入力（Ｓ１５，Ｓ１６）を、確認ボタン５３へのタッチ操作による入力としたが、この確認ボタン５３へのタッチ操作に代えて、ドライバの特定の視線移動を検出することにより、ドライバの安全確認の入力としてもよい。
【００６１】
すなわち、カメラ制御ＥＣＵ１００は、確認ボタン５３に代えて、ドライバの顔を撮影するカメラを含みドライバの視線を検出する視線検出装置を備え、この視線検出装置が、安全確認の意思表示として予め設定されたドライバの特定の視線の状態（例えば、モニタ５２の特定の位置を所定時間継続して凝視したり、日常生活では通常行われないような視線の動き（目を左右や上下に動かす）をしたり等）を検出した場合に、制御部５４が、確認ボタン５３がタッチされた場合と同じ動作を行えばよい。
【００６２】
このように、視線検出装置で安全確認の意思表示を入力することにより、確認ボタン５３をタッチ操作するために、確認ボタン５３に視線を向ける必要がない。これにより、ドライバが、交差する道路Ｒ２から視線を外すのを防止又は抑制することができる。
【００６３】
本実施形態のカメラ制御ＥＣＵ１００は、危険度判定部５１が、交差する道路Ｒ２の幅Ｄに基づいて交差点Ｔの危険度の高低を判定するが、交差する道路Ｒ２の幅Ｄの他に、交差する道路Ｒ２の通行量、交差する道路Ｒ２の制限速度、交差する道路Ｒ２が一方通行か双方向通行かの別、交差点Ｔにおける過去の交通事故の多少の別及び交差点Ｔの形状（Ｔ字状に交差するＴ字路等）のうち少なくとも一つの交差点Ｔの情報や、これらと交差する道路Ｒ２の幅Ｄとの組み合わせに基づいて危険度の高低を判定してもよい。
【００６４】
具体的には、危険度判定部５１は、交差する道路Ｒ２の通行量が多いときは危険度が高く、通行量が少ないときは危険度が低いと判定する。また、危険度判定部５１は、交差する道路Ｒ２の制限速度が高いときは危険度が高く、制限速度が低いときは危険度が低いと判定する。また、危険度判定部５１は、交差する道路Ｒ２が一方通行の場合は道路幅が狭い場合が多いため危険度が高く、交差する道路Ｒ２が双方向通行の場合は道路幅が広いため危険度が低いと判定する。また、危険度判定部５１は、交差点Ｔにおける過去の交通事故が多いときは危険度が高く、交通事故が少ないときは危険度が低いと判定する。
【００６５】
また、危険度判定部５１は、交差点Ｔの形状が例えばＴ字状に交差するＴ字路であり、交差する道路Ｒ２がＴ字の横向き部分に対応し、自車３００の道路Ｒ１がＴ字の縦向き部分に対応するときは危険度が高く、交差する道路Ｒ２がＴ字の縦向き部分に対応し、自車３００の道路Ｒ１がＴ字の横向き部分に対応するときは危険度が低いと判定する。
【００６６】
なお、危険度判定部５１は、これら交差点Ｔの情報の２つ以上を組み合わせて判定するときは、これら２つ以上の情報に対して重み付けをして判定を行ってもよい。
【００６７】
本実施形態のカメラ制御ＥＣＵ１００は、上述した交差点Ｔの情報をナビゲーション装置２２０から取得したが、高度道路交通システム（ＩＴＳ：Intelligent Transport Systems）が整備されるなどして交通基盤（インフラストラクチャ）や他車によって交差点Ｔの情報が提供されている場合は、それらとの間で通信（路車間通信、車車間通信）を行う通信部をカメラ制御ＥＣＵ１００が備えることにより、その通信部により交差点Ｔの情報を取得するようにしてもよい。
【００６８】
また、本実施形態のカメラ制御ＥＣＵ１００は、車載カメラ２１０によって撮影された交差点Ｔの画像に基づいて、交差点Ｔの危険度の高低を判定してもよい。具体的には、図７に示したフローチャートのステップ４（Ｓ４）の処理を無くし、ステップ９（Ｓ９）の処理を図８に示したフローチャートのステップ９１（Ｓ９１）、ステップ９２（Ｓ９２）、ステップ９３（Ｓ９３）及びステップ９４（Ｓ９４）の処理に置き換えればよい。
【００６９】
図８のフローチャートによれば、図７のフローチャートにおける交差点Ｔの危険度の高低の判定の処理（Ｓ９）の際に、交差点種類判定部３０が、車載カメラ２１０で撮影され、画像取得部１０を介して交差点Ｔの画像を取得し（Ｓ９１）、取得した交差点Ｔの画像に基づいて、交差点Ｔで交差する道路Ｒ２の路肩（エッジ）を検出し（Ｓ９２）、検出された２本のエッジ間の距離を車載カメラ２１０のパラメータ等に基づいて算出し、得られたエッジ間の距離を交差する道路Ｒ２の幅Ｄとして（Ｓ９３）、この交差する道路Ｒ２の幅Ｄに基づいて、危険度判定部５１が交差点Ｔの危険度の高低を判定する（Ｓ９４）。
【００７０】
このように、カメラ制御ＥＣＵ１００は、車載カメラ２１０が撮影した画像に基づいて交差点Ｔの危険度の高低を判定することにより、ナビゲーション装置２２０から交差点Ｔの情報を取得する必要が無い。
【００７１】
本実施形態は、交差する道路Ｒ２における通行の状況として車載カメラ２１０により撮影された画像を取得したものであるため、ドライバに提示する通行の状況も、モニタ５２に表示した画像とすることができ、認識し易い情報（画像）としてドライバに提示することができる。
【００７２】
本実施形態は、本発明に係る自動運転支援装置をカメラ制御ＥＣＵ１００として適用した。しかし、本発明に係る自動運転支援装置は、交差する道路Ｒ２における通行の状況を車載カメラ２１０から得るのではなく、上述した交通基盤や交差する道路Ｒ２を通行している他車によって通行の状況が提供されている場合は、その交通基盤や他車によって提供されている通行の状況を取得するものであってもよい。
【００７３】
この場合、提供されている通行の状況が視覚的に認識できる画像であってもよいし、聴覚的に認識できる音声によるものであってもよい。このように、本発明に係る自動運転支援装置は、車載カメラ２１０の画像を取得して用いるカメラ制御ＥＣＵ１００として構成されるものに限定されない。
【００７４】
したがって、本発明に係る自動運転支援装置は、一例として、図９に示すように、危険度判定部５１０と、通行状況取得部５２０と、通行状況提示部５３０と、確認受付部５４０と、制御部５５０と、を備えた構成とすればよい。
【００７５】
ここで、危険度判定部５１０は危険度判定部５１に対応するものであり、取得した交差点Ｔの情報に基づいて交差点Ｔの危険度の高低を判定する。通行状況取得部５２０は画像取得部１０に対応するものであり、交差点Ｔで交差する道路Ｒ２における通行の状況を取得する。通行状況提示部５３０はモニタ５２に対応するものであり、通行状況取得部５２０により取得された通行の状況を自車３００のドライバに提示する。確認受付部５４０は確認ボタン５３に対応するものであり、通行状況提示部５３０により提示された通行の状況に対して、ドライバの確認の意思表示を受け付ける。
【００７６】
制御部５５０は制御部５４に対応するものであり、交差点Ｔへの進入に先立って危険度判定部５１０により判定された危険度が高いときは交差点Ｔへの進入の際に、自車３００を間接確認位置Ｐ２で停止させ、間接確認位置Ｐ２で停止させた状態で確認受付部５４０がドライバの確認を受け付けたときは、自車３００を前進させて、直接確認位置Ｐ３で自車３００を停止させることなく交差点Ｔを通過させるように、自車３００の走行を制御する車両制御ＥＣＵ２６０に指令を出力する。
【００７７】
また、制御部５５０は、交差点Ｔへの進入に先立って危険度判定部５１０により判定された危険度が低いときは、交差点Ｔへの進入の際に、自車３００を直接確認位置Ｐ３まで進めて停止させ、直接確認位置Ｐ３で停止させた状態で確認受付部５４０がドライバの確認を受け付けたときは、自車３００を前進させて交差点Ｔを通過させるように、自車３００の走行を制御する車両制御ＥＣＵ２６０に指令を出力する。
【符号の説明】
【００７８】
１０    画像取得部
３０    交差点種類判定部
４０    進入可否判定部
５０    ドライバ確認判定部
５１    危険度判定部
５２    モニタ
５３    確認ボタン
５４    制御部
１００  カメラ制御ＥＣＵ
３００  自車
Ｐ２    間接確認位置
Ｐ３    直接確認位置
Ｒ２    交差する道路
Ｔ      交差点
【図１】
2019040358.tif 000003
【図２】
2019040358.tif 000004
【図３】
2019040358.tif 000005
【図４】
2019040358.tif 000006
【図５】
2019040358.tif 000007
【図６】
2019040358.tif 000008
【図７】
2019040358.tif 000009
【図８】
2019040358.tif 000010
【図９】
2019040358.tif 000011